(57)【要約】【課題】画質の低下を観察者に知覚させにくくしつつ、カラーブレークアップを目立ちにくくする。【解決手段】プロジェクター１は、光源１１Ｒ，１１Ｇ，１１Ｂが射出したＲＧＢ色の光を画像信号に基づいて変調する画素を含む電気光学パネル１００と、画素の駆動の単位フレームを複数フィールドに分割し、ＲＧＢ色に対応した画像信号を、同一色に対応させた第１のフィールドと当該第１のフィールドに続く第２のフィールドとを所定の色順で配列して、電気光学パネル１００の画素に書き込むパネル駆動部３０と、カラー画像を含む第１の画像を形成する場合、第２のフィールドの画像信号の書き込みに同期して、ＲＧＢ色の光を、前記色順で射出させ、白黒画像を含む第２の画像を形成する場合、第２のフィールドの画像信号の書き込みに同期して、ＲＧＢ色の光を、前記第１の画像を形成する場合の２倍速以上で射出させる光源制御部２４とを備える。【選択図】図２
2015036805.tif 000002
【特許請求の範囲】
【請求項１】
複数色の各色の光を独立に射出する光源と、
前記光源が射出した光を画像信号に基づいて変調する画素、を含む光変調器と
を備える電気光学装置の駆動装置であって、
前記画素の駆動の単位フレームを複数フィールドに分割し、前記複数色の各色の画像信号を、同一色に対応させた第１のフィールドと当該第１のフィールドに続く第２のフィールドとを所定の色順で配列して、順次前記画素に書き込む駆動部と、
前記単位フレームでカラー画像を含む第１の画像を形成する場合、
前記第２のフィールドの画像信号の書き込みに同期して、前記複数色の各色の光を、前記色順で前記光源に射出させ、
前記単位フレームで白黒画像を含む第２の画像を形成する場合、
前記第２のフィールドの画像信号の書き込みに同期して、前記複数色の各色の光を、前記第１の画像を形成する場合の２倍速以上で、前記光源に射出させる光源制御部と
を備える電気光学装置の駆動装置。
【請求項２】
前記光源制御部は、
前記白黒画像が形成される領域に応じて、前記第２のフィールドの前記各色の光の射出時間に対する、前記第１のフィールドの当該射出時間の割合を変化させる
ことを特徴とする請求項１に記載の電気光学装置の駆動装置。
【請求項３】
前記光源制御部は、
前記領域が大きいほど、前記割合を高くする
ことを特徴とする請求項２に記載の電気光学装置の駆動装置。
【請求項４】
前記画素毎に前記複数色の階調値を指定した入力画像データを解析して、当該複数色の階調差のヒストグラムを求める解析部を備え、
前記光源制御部は、
前記解析部が求めたヒストグラムに基づいて、前記白黒画像が形成される領域を判定する
ことを特徴とする請求項２又は３に記載の電気光学装置の駆動装置。
【請求項５】
前記光源は、
第１の色、第２の色及び第３の色の３色の光を射出し、
前記駆動部は、
前記第１の色、前記第２の色及び前記第３の色の順番で、２フィールドずつ連続させて前記画像信号を前記画素に書き込み、
前記光源制御部は、
前記第１の画像を形成する場合、
前記第１の色、前記第２の色及び前記第３の色の順番で、前記光源に前記各色の光を射出させ、
前記第２の画像を形成する場合、
前記第２の色、前記第３の色及び前記第１の色の順番で、前記第１の画像を形成する場合の２倍速で、前記光源に前記各色の光を射出させる
ことを特徴とする請求項１から４のいずれか１項に記載の電気光学装置の駆動装置。
【請求項６】
前記駆動部が書き込む画像信号の色数が、前記光源が射出する光の色数よりも多い場合には、
前記光源制御部は、
前記第２の画像を形成するとき、前記第２のフィールドの画像信号の書き込みに同期するか否かに関わらず、前記第１の画像を形成する場合の２倍速以上で、前記複数色の各色の光を前記光源に射出させる
ことを特徴とする請求項１から５のいずれか１項に記載の電気光学装置の駆動装置。
【請求項７】
複数色の各色の光を独立に射出する光源と、
前記光源が射出した光を画像信号に基づいて変調する画素、を含む光変調器と
を備える電気光学装置の駆動方法であって、
前記画素の駆動の単位フレームを複数フィールドに分割し、前記複数色の各色の画像信号を、同一色に対応させた第１のフィールドと当該第１のフィールドに続く第２のフィールドとを所定の色順で配列して、順次前記画素に書き込むステップと、
前記単位フレームでカラー画像を含む第１の画像を形成する場合、
前記第２のフィールドの画像信号の書き込みに同期して、前記複数色の各色の光を、前記色順で前記光源に射出させ、
前記単位フレームで白黒画像を含む第２の画像を形成する場合、
前記第２のフィールドの画像信号の書き込みに同期して、前記複数色の各色の光を、前記第１の画像を形成する場合の２倍速以上で、前記光源に射出させるステップと
を有する電気光学装置の駆動方法。
【請求項８】
複数色の各色の光を独立に射出する光源と、
前記光源が射出した光を画像信号に基づいて変調する画素、を含む光変調器と、
前記画素の駆動の単位フレームを複数フィールドに分割し、前記複数色の各色の画像信号を、同一色に対応させた第１のフィールドと当該第１のフィールドに続く第２のフィールドとを所定の色順で配列して、順次前記画素に書き込む駆動部と、
前記単位フレームでカラー画像を含む第１の画像を形成する場合、
前記第２のフィールドの画像信号の書き込みに同期して、前記複数色の各色の光を、前記色順で前記光源に射出させ、
前記単位フレームで白黒画像を含む第２の画像を形成する場合、
前記第２のフィールドの画像信号の書き込みに同期して、前記複数色の各色の光を、前記第１の画像を形成する場合の２倍速以上で、前記光源に射出させる光源制御部と
を備える電気光学装置。
【請求項９】
請求項８に記載の電気光学装置を備える電子機器。
【発明の詳細な説明】
【技術分野】
【０００１】
本発明は、フィールドシーケンシャル駆動に関する。
【背景技術】
【０００２】
フィールドシーケンシャル駆動で画像を形成する場合、典型的には、１コマの画像を表示するフレームを、赤（Ｒ）色、緑（Ｇ）色及び青（Ｂ）色の３原色のいずれかにそれぞれ対応させた複数フィールドに分割し、フィールド毎に対応する色成分の画像信号を画素に書き込み、当該画像信号の書き込みに同期して、画素に照射する光の色を切り替える（例えば特許文献１，２参照）。なお、特許文献２は、フィールドシーケンシャル駆動で白黒階調を表現する際に、複数色の光源を点灯させることを開示している。
【先行技術文献】
【特許文献】
【０００３】
【特許文献１】特開２００５−１７４９２号公報
【特許文献２】特開２０１１−２３２７４３号公報
【発明の概要】
【発明が解決しようとする課題】
【０００４】
フィールドシーケンシャル駆動の画像形成では、カラーブレークアップ（色割れともいう。）の発生が問題となることがある。カラーブレークアップは、画面上を移動する対象物に人間の視線が追従した場合に、人間の目の網膜上のそれぞれ異なる位置に３原色の各色の光が結像されることによって発生する。例えば図１３に示すように、黒色を背景として、白色のオブジェクト（ウィンドウ）がＮフレームからＮ＋１フレームにわたって移動した場合、当該オブジェクトと背景との境界に、ＲＧＢの各色が観察者に視認されることがある。カラーブレークアップは、３原色以外の光を用いて各フィールドの画像を生成することにより目立ちにくくなるが、代わりに、当該フィールドの画像の色の変化が、画質の低下として観察者に知覚される可能性がある。
本発明は、上述した事情に鑑みてなされたもので、その目的の一つは、画質の低下を観察者に知覚させにくくしつつ、カラーブレークアップを目立ちにくくすることである。
【課題を解決するための手段】
【０００５】
本発明の電気光学装置の駆動装置は、複数色の各色の光を独立に射出する光源と、前記光源が射出した光を画像信号に基づいて変調する画素、を含む光変調器とを備える電気光学装置の駆動装置であって、前記画素の駆動の単位フレームを複数フィールドに分割し、前記複数色の各色の画像信号を、同一色に対応させた第１のフィールドと当該第１のフィールドに続く第２のフィールドとを所定の色順で配列して、順次前記画素に書き込む駆動部と、前記単位フレームでカラー画像を含む第１の画像を形成する場合、前記第２のフィールドの画像信号の書き込みに同期して、前記複数色の各色の光を、前記色順で前記光源に射出させ、前記単位フレームで白黒画像を含む第２の画像を形成する場合、前記第２のフィールドの画像信号の書き込みに同期して、前記複数色の各色の光を、前記第１の画像を形成する場合の２倍速以上で、前記光源に射出させる光源制御部とを備える。
本発明によれば、画像信号の書き込みに同期する光を光源に射出させる第２のフィールドに対し、白黒画像を含む第２の画像を形成する場合には、第１のフィールドでは他の色の光を光源に射出させることにより、画質の低下を観察者に知覚させにくくしつつ、カラーブレークアップを目立ちにくくすることができる。
【０００６】
本発明の電気光学装置の駆動装置において、前記光源制御部は、前記白黒画像が形成される領域に応じて、前記第２のフィールドの前記各色の光の射出時間に対する、前記第１のフィールドの当該射出時間の割合を変化させてもよい。
この発明によれば、白黒画像の領域に応じたカラーブレークアップの目立ちやすさを加味した射出時間で、光源に各色の光を射出させることができる。
【０００７】
この電気光学装置の駆動装置において、前記光源制御部は、前記領域が大きいほど、前記割合を高くしてもよい。
この発明によれば、白黒画像の領域に応じたカラーブレークアップの目立ちやすさを加味した射出時間で、光源に各色の光を射出させることにより、画質の低下を観察者に知覚させにくくすることができる。
【０００８】
本発明の電気光学装置の駆動装置において、前記画素毎に前記複数色の階調値を指定した入力画像データを解析して、当該複数色の階調差のヒストグラムを求める解析部を備え、前記光源制御部は、前記解析部が求めたヒストグラムに基づいて、前記白黒画像が形成される領域を判定してもよい。
この発明によれば、画素毎の複数色の階調差のヒストグラムに基づいて、白黒画像の領域を簡易的に判定することができる。
【０００９】
本発明の電気光学装置の駆動装置において、前記光源は、第１の色、第２の色及び第３の色の３色の光を射出し、前記駆動部は、前記第１の色、前記第２の色及び前記第３の色の順番で、２フィールドずつ連続させて前記画像信号を前記画素に書き込み、前記光源制御部は、前記第１の画像を形成する場合、前記第１の色、前記第２の色及び前記第３の色の順番で、前記光源に前記各色の光を射出させ、前記第２の画像を形成する場合、前記第２の色、前記第３の色及び前記第１の色の順番で、前記第１の画像を形成する場合の２倍速で、前記光源に前記各色の光を射出させてもよい。
この発明によれば、第１、第２及び第３の色の３色の光を用いて画像を形成する場合に、白黒画像を含む第２の画像を形成するときには、カラー画像を含む第１画像を形成するときと比べて、光源に射出させる光の色順を変更し、且つ、２倍速で各色の光を光源に射出させればよい。
【００１０】
本発明の電気光学装置の駆動装置において、前記駆動部が書き込む画像信号の色数が、前記光源が射出する光の色数よりも多い場合には、前記光源制御部は、前記第２の画像を形成するとき、前記第２のフィールドの画像信号の書き込みに同期するか否かに関わらず、前記第１の画像を形成する場合の２倍速以上で、前記複数色の各色の光を前記光源に射出させてもよい。
この発明によれば、光源が射出する光の色数よりも多い色の画像を生成する場合であっても、カラーブレークアップを目立ちにくくすることができる。
【００１１】
なお、本発明は、電気光学装置の駆動装置のほか、電気光学装置の駆動方法、電気光学装置及び電子機器としても観念することが可能である。
【図面の簡単な説明】
【００１２】
【図１】第１実施形態に係るプロジェクターの構成を示す平面図。
【図２】同実施形態に係るプロジェクターの電気的構成を示すブロック図。
【図３】同実施形態に係るパネル駆動部及び電気光学パネルの構成を示す図。
【図４】同実施形態に係る電気光学パネルにおける等価回路を示す図。
【図５】同実施形態に係るプロジェクターの動作を示すタイミングチャート。
【図６】同実施形態におけるフィールド画像の表示の変化を示すタイミングチャート。
【図７】同実施形態における射出パターンの選択の処理の流れを示すフローチャート。
【図８】同実施形態に係る解析部が求めたヒストグラムの一例を示す図。
【図９】同実施形態の変形例に係るプロジェクターの動作を示すタイミングチャート。
【図１０】同変形例に係るプロジェクターの動作を説明するタイミングチャート。
【図１１】第２実施形態に係るプロジェクターの動作を示すタイミングチャート。
【図１２】同実施形態における射出パターンの選択の手順を示すフローチャート。
【図１３】カラーブレークアップが発生する原理の説明図。
【発明を実施するための形態】
【００１３】
以下、本発明の実施の形態について図面を参照しつつ説明する。この実施形態では、本発明の電気光学装置をプロジェクターに適用した例を説明する。
［第１実施形態］
図１は、本発明の第１実施形態に係るプロジェクターの構成を示す平面図である。プロジェクター１は、単板式の液晶プロジェクター（電子機器の一例）であり、フィールドシーケンシャル駆動で電気光学パネル１００に画像を形成して、反射型のスクリーンＳに画像光を投射する。
図１に示すように、プロジェクター１は、第１の色である赤（Ｒ）色、第２の色である緑（Ｇ）色、及び、第３の色である青（Ｂ）色の３原色に対応した光源として、光源１１Ｒ，１１Ｇ及び１１Ｂを備える。光源１１Ｒは、Ｒ色のレーザー光を射出する発光ダイオード（ＬＥＤ；Light Emitting Diode）である。光源１１Ｇは、Ｇ色のレーザー光を射出する発光ダイオードである。光源１１Ｂは、Ｂ色のレーザー光を射出する発光ダイオードである。光源１１Ｒ，１１Ｇ，１１Ｂが射出したレーザー光は、各々角度調整用光学素子１２Ｒ，１２Ｇ，１２Ｂにより射出角度が調整されて、クロスプリズム１３に入射する。クロスプリズム１３において、Ｒ色及びＢ色のレーザー光は９０度に屈折する一方、Ｇ色のレーザー光は直進する。クロスプリズム１３は、光源１１Ｒ，１１Ｇ，１１Ｂの各々から入射したレーザー光を、フライアイレンズ１４へ射出する。
【００１４】
フライアイレンズ１４は、基板上に複数のレンズが２次元配置された光学部材（インテグレータ）であり、クロスプリズム１３から入射したレーザー光の入射光束を空間的に分割して、射出する。ＰＢＳ（Polarization Beam Splitter）１５は、偏光ビームスプリッタであり、フライアイレンズ１４から入射したレーザー光の特定の偏光（例えばｓ偏光）を選択的に透過させ、他方の偏光（例えばｐ偏光）を選択的に反射させる光学部材である。ＰＢＳ１５を透過したレーザー光は、レンズ及び絞りを含むテレセン光学系１６を介して、電気光学パネル１００に入射する。
【００１５】
電気光学パネル１００は、ここでは透過型の液晶ライトバルブであり、テレセン光学系１６から入射したレーザー光を画像信号に基づいて変調する画素、を含む光変調器である。電気光学パネル１００は、画素で変調したレーザー光を画像光として、投射部１７へ射出する。投射部１７は、電気光学パネル１００が射出した画像光を、スクリーンＳ上に拡大投射する。
【００１６】
図２は、プロジェクター１の電気的構成を示すブロック図である。
プロジェクター１のコントローラー２０は、例えばＣＰＵ（Central Processing Unit）等の論理演算回路を備え、プロジェクター１の各部を制御する。コントローラー２０には、水平同期信号ＨＳ、垂直同期信号ＶＳ及びドットクロックＣＬＫの各種制御信号、並びに、Ｒ、Ｇ及びＢの各色に対応した入力画像データＲ−ＤＡＴＡ，Ｇ−ＤＡＴＡ及びＢ−ＤＡＴＡが、パラレルに入力される。コントローラー２０に入力される各制御信号及び入力画像データは、例えば、プロジェクター１外の映像信号源（例えば、ＤＶＤ再生装置やパーソナルコンピューター等の映像再生装置）で生成されて、コントローラー２０に入力される。
【００１７】
入力画像データＲ−ＤＡＴＡ，Ｇ−ＤＡＴＡ及びＢ−ＤＡＴＡは、単位フレームとしての１フレームの画像を、電気光学パネル１００上に形成するための画像データである。入力画像データＲ−ＤＡＴＡ，Ｇ−ＤＡＴＡ及びＢ−ＤＡＴＡは、周期１６．７ミリ秒（つまり、フレーム周波数が６０Ｈｚ）で、１フレーム分（つまり、電気光学パネル１００の全画素分）が入力される。ここにおいて、フレームとは、電気光学パネル１００の画素を駆動することによって、１コマ分の画像を形成させるのに要する期間をいう。
【００１８】
詳しくは後述するが、プロジェクター１は、１フレームを複数のフィールドに分割（時分割）し、フィールド毎に、Ｒ，Ｇ及びＢ色のいずれかの色の画像（以下、「フィールド画像」という。）を生成し表示することにより、フィールドシーケンシャル駆動の画像形成を行う。入力画像データＲ−ＤＡＴＡは、Ｒ色に対応したフィールド画像（以下、「Ｒフィールド画像」という。）を生成するための入力画像データで、画素毎にＲ色の階調値を指定したデータである。入力画像データＧ−ＤＡＴＡは、Ｇ色に対応したフィールド画像（以下、「Ｇフィールド画像」という。）を生成するための入力画像データで、画素毎にＧ色の階調値を指定したデータである。入力画像データＢ−ＤＡＴＡは、Ｂ色に対応したフィールド画像（以下、「Ｂフィールド画像」という。）を生成するための入力画像データで、画素毎にＢ色の階調値を指定したデータである。本実施形態では、Ｒ、Ｇ及びＢの各色の階調値が、８ビット（すなわち２５６階調）のデータで表される。すなわち、階調値は「０」〜「２５５」のいずれかの値をとり、その値が大きいほど明るい（つまり高輝度の）階調に対応し、反対に、その値が小さいほど暗い（つまり低輝度の）階調に対応する。
【００１９】
コントローラー２０は、画像データ処理部２１と、タイミング制御部２２と、解析部２３と、光源制御部２４とを備える。
画像データ処理部２１は、パラレルに入力された入力画像データＲ−ＤＡＴＡ，Ｇ−ＤＡＴＡ及びＢ−ＤＡＴＡを、図示せぬフレームメモリーに蓄え、パラレル−シリアル変換を施してパネル駆動部３０へ出力する処理回路である。画像データ処理部２１は、Ｒ、Ｇ及びＢの各色のフィールド画像を時分割で表示するための画像データＤＡＴＡｗを生成して、パネル駆動部３０へ出力する。
【００２０】
タイミング制御部２２は、各種タイミング信号を生成してパネル駆動部３０へ出力する回路である。具体的には、タイミング制御部２２は、水平同期信号ＨＳ、垂直同期信号ＶＳ及びドットクロックＣＬＫに基づいて、スタートパルスＤｙ及びクロック信号Ｃｌｙを生成して、走査線駆動回路１３０へ出力する。また、タイミング制御部２２は、水平同期信号ＨＳ、垂直同期信号ＶＳ及びドットクロックＣＬＫに基づいて、スタートパルスＤｘ及びクロック信号Ｃｌｘを生成して、データ線駆動回路１４０へ出力する。
【００２１】
解析部２３は、入力画像データＲ−ＤＡＴＡ，Ｇ−ＤＡＴＡ及びＢ−ＤＡＴＡを解析して、画素毎にＲ色、Ｇ色及びＢ色の階調差ΔＶを算出し、階調差ΔＶのヒストグラム（つまり度数分布）を求める回路である。解析部２３は、Ｒ色、Ｇ色及びＢ色の階調値のうち、最大の階調差となる組み合わせに基づいて、階調差ΔＶを算出する。階調差ΔＶのヒストグラムは、電気光学パネル１００において形成される画像において、カラー画像及び白黒画像が含まれる領域を簡易的に判定するために使用される。
【００２２】
光源制御部２４は、光源１１Ｒ，１１Ｇ，１１Ｂに光を射出させる制御（つまり光源制御）を行う回路である。具体的には、光源制御部２４は、点灯又は消灯を指示する光源制御信号を、Ｒ色ＬＥＤドライバ４０Ｒ、Ｇ色ＬＥＤドライバ４０Ｇ及びＢ色ＬＥＤドライバ４０Ｂの各々へ独立に出力する。Ｒ色ＬＥＤドライバ４０Ｒは、供給された光源制御信号に応じて、光源１１Ｒを点灯又は消灯させる。Ｇ色ＬＥＤドライバ４０Ｇは、供給された光源制御信号に応じて、光源１１Ｇを点灯又は消灯させる。Ｒ色ＬＥＤドライバ４０Ｂは、供給された光源制御信号に応じて、光源１１Ｂを点灯又は消灯させる。光源１１Ｒ，１１Ｇ，１１Ｂは、点灯期間においてレーザー光を射出する。
なお、光源制御部２４は、解析部２３が求めた階調差ΔＶのヒストグラムに応じた光源制御を行う。この光源制御の詳細については後で説明する。
【００２３】
図３は、パネル駆動部３０及び電気光学パネル１００の構成を示す図である。
電気光学パネル１００は、複数の画素１１０がマトリクス状に配列した構成である。詳細には、電気光学パネル１００では、ｍ本の走査線１１２が図１においてＸ（水平）方向に延在する一方、ｎ本のデータ線１１４が走査線１１２と電気的な絶縁を保ちつつ、図３においてＹ（垂直）方向に延在している（ｍ、ｎはいずれも２以上の自然数）。また、複数本の走査線１１２と複数本のデータ線１１４との各交差に対応して、画素１１０がそれぞれ設けられている。本実施形態において、画素１１０は、縦ｍ行×横ｎ列のマトリクス状に配列する。
【００２４】
図４は、電気光学パネル１００における等価回路を示す図である。
図４に示すように、電気光学パネル１００は、走査線１１２とデータ線１１４との交差に対応して、画素電極１１８とコモン電極１０８とで液晶１０５を挟持した液晶素子１２０が配列した構成である。電気光学パネル１００における等価回路では、図４に示すように、液晶素子１２０に対して並列に補助容量（蓄積容量）１２５が設けられる。補助容量１２５は、一端が画素電極１１８に接続され、他端が容量線１１５に共通接続されている。容量線１１５は時間的に一定の電圧に保たれている。
ここで、走査線１１２がＨレベルになると、その走査線にゲート電極が接続されたＴＦＴ１１６がオンとなり、画素電極１１８がデータ線１１４に接続される。このため、走査線１１２がＨレベルであるときに、データ線１１４に階調に応じた電圧のデータ信号を供給すると、そのデータ信号は、オンしたＴＦＴ１１６を介して画素電極１１８に印加される。走査線１１２がＬレベルになると、ＴＦＴ１１６はオフするが、画素電極１１８に印加された電圧は、液晶素子１２０の容量及び補助容量１２５によって保持される。
液晶素子１２０では、画素電極１１８及びコモン電極１０８によって生じる電界に応じて液晶１０５の分子配向状態が変化する。このため、液晶素子１２０は、透過型であれば、印加・保持電圧に応じた透過率となる。電気光学パネル１００では、液晶素子１２０毎に透過率が変化するので、液晶素子１２０が画素に相当する。
なお、本実施形態においては、液晶１０５をＶＡ（Vertical Alignment）方式の液晶とし、液晶素子１２０が電圧無印加時において黒状態となるノーマリーブラックモードとする。
【００２５】
図３に戻って説明する。
走査線駆動回路１３０は、スタートパルスＤｙをクロック信号Ｃｌｙにしたがって順次シフトし、１，２，３，４，…，ｍ行目の走査線１１２に、走査信号ＳＣ１，ＳＣ２，ＳＣ３，ＳＣ４，…，ＳＣｍとして供給する。
データ線駆動回路１４０は、スタートパルスＤｘ及びクロック信号Ｃｌｘに基づいて、１，２，３，…，ｎ列目のデータ線１１４に、それぞれ画像信号（データ信号）ｄ１，ｄ２，ｄ３，ｄ４，ｄ５，…，ｄｎを供給して、画素１１０に画像信号を書き込む。画像信号ｄ１，ｄ２，ｄ３，ｄ４，ｄ５，…，ｄｎは、指定された階調値で画素１１０に階調表現するための電圧信号である。データ線駆動回路１４０が供給した画像信号ｄ１，ｄ２，ｄ３，ｄ４，ｄ５，…，ｄｎの各々は、走査線駆動回路１３０により選択された走査線１１２に対応する画素１１０に供給される。
以上説明した構成の下、パネル駆動部３０は、電気光学パネル１００を線順次で駆動して、画像データＤＡＴＡｗに基づいて、Ｒ，Ｇ及びＢ色の各色に対応した画像信号を画素１１０に書き込む。
なお、パネル駆動部３０は、液晶１０５に直流成分が印加されるのを防止するために、液晶素子１２０を交流駆動することが望ましい。かかる交流駆動は周知であるから、この実施形態では説明を省略する。
【００２６】
図５は、プロジェクター１の動作を示すタイミングチャートである。図５には、１フレームの画像形成に関する動作が示されている。
コントローラー２０は、入力された垂直同期信号ＶＳに従って、１フレームの画像を形成するための動作を開始する。また、コントローラー２０は、１フレームを構成する各フィールドの駆動を開始するタイミングで、スタートパルスＤｙをパネル駆動部３０へ出力する。図５の「ＤＡＴＡｗ」と記した欄には、コントローラー２０が供給する画像データＤＡＴＡｗの時間的変化が示されている。図５の「フィールド画像」と記した欄には、電気光学パネル１００が表示するフィールド画像の時間的変化が示されている。コントローラー２０は、１フレームを前半期間と後半期間とに等分割し、更に、前半期間及び後半期間の各々を、６つのフィールドに分割する。前半期間と後半期間の各々で、コントローラー２０は、先頭から１番目及び２番目のフィールドをＲ色に対応させ、３番目及び４番目のフィールドをＧ色に対応させ、５番目及び６番目のフィールドをＢ色に対応させる。以下の説明では、これらの６つのフィールドを、先頭から順に、「Ｒ１フィールド」、「Ｒ２フィールド」、「Ｇ１フィールド」、「Ｇ２フィールド」、「Ｂ１フィールド」、「Ｂ２フィールド」と称する。
【００２７】
また、コントローラー２０は、階調差ΔＶのヒストグラムに基づいて、１フレームで形成する画像が、カラーパターンか白黒パターンかのどちらであるかを判定する。この判定に関する処理については後で説明するが、コントローラー２０は、カラー画像を主としたカラーパターン（第１の画像の一例）と判定した場合には、射出パターンＡに従った光源制御を行い、白黒画像を主とした白黒パターン（第２の画像の一例）と判定した場合には、射出パターンＢに従った光源制御を行う。射出パターンＡと射出パターンＢとでは、光源１１Ｒ，１１Ｇ，１１Ｂの各々が射出する光の時間的変化が異なる。
【００２８】
続いて、射出パターンＡに従って光源制御を行う場合のプロジェクター１の動作を、図５を参照して説明する。
まず、コントローラー２０は、Ｒ１フィールドを開始させると、Ｒフィールド画像を表示するための画像信号ｄｒ１を電気光学パネル１００に書き込むように、パネル駆動部３０を制御する。パネル駆動部３０は、コントローラー２０の制御に応じて、電気光学パネル１００の画面最上部から下方向（Ｙ方向）に向かって、線順次で各画素１１０に画像信号を書き込む。よって、Ｒ１フィールドでは、電気光学パネル１００の少なくとも一部に、前フレーム（前フィールド）の画像が残っている。このため、Ｒ１フィールドでは、電気光学パネル１００に表示した画像を観察者に視認させないように、コントローラー２０は、Ｒ１フィールドの全体にわたって、光源１１Ｒ，１１Ｇ，１１Ｂを消灯させておく。
【００２９】
次に、コントローラー２０は、Ｒ２フィールドを開始させると、Ｒフィールド画像を表現するための画像信号ｄｒ２を電気光学パネル１００に書き込むように、パネル駆動部３０を制御する。ここにおいて、コントローラー２０は、Ｒ１フィールドと同じＲフィールド画像を表示するための画像信号を書き込むように、パネル駆動部３０を制御する。Ｒ２フィールドでは、電気光学パネル１００に表示した画像を観察者に視認させるために、コントローラー２０は、Ｒ２フィールドの全体にわたって、光源１１ＲにＲ色の光を射出させ、光源１１Ｇ，１１Ｂを消灯させる。
【００３０】
続いて、Ｇ１フィールド及びＧ２フィールドに関する動作を説明するが、Ｒ１フィールド及びＲ２フィールドでのＲ色に関する動作を、Ｇ色に置き換えた動作と概ね同じである。
すなわち、コントローラー２０は、Ｇフィールド画像を表示するために、Ｇ１フィールドにおいて画像信号ｄｇ１を電気光学パネル１００に書き込み、Ｇ２フィールドにおいて画像信号ｄｇ２を電気光学パネル１００に書き込む。また、コントローラー２０は、Ｇ１フィールドでは光源１１Ｒ，１１Ｇ，１１Ｂを消灯させ、Ｇ２フィールドの全体にわたって、光源１１ＧにＧ色の光を射出させ、光源１１Ｒ，１１Ｂを消灯させる。
【００３１】
続いて、Ｂ１フィールド及びＢ２フィールドに関する動作を説明するが、Ｇ１フィールド及びＧ２フィールドでのＧ色に関する動作を、Ｂ色に置き換えた動作と概ね同じである。
すなわち、コントローラー２０は、Ｂフィールド画像を表示するために、Ｂ１フィールドにおいて画像信号ｄｂ１を電気光学パネル１００に書き込み、Ｂ２フィールドにおいて画像信号ｄｂ２を電気光学パネル１００に書き込む。また、コントローラー２０は、Ｂ１フィールドでは光源１１Ｒ，１１Ｇ，１１Ｂを消灯させ、Ｂ２フィールドの全体にわたって、光源１１ＢにＢ色の光を射出させ、光源１１Ｒ，１１Ｇを消灯させる。
【００３２】
以上が、１フレームの前半期間でのプロジェクター１の動作の説明である。プロジェクター１は、１フレームの後半期間においても前半期間と同じ動作をする。
このため、コントローラー２０は、射出パターンＡを選択した場合には、Ｒ２フィールド、Ｇ２フィールド及びＢ２フィールドの画像信号の書き込みに同期して、Ｒ、Ｇ及びＢの各色の光を、光源１１Ｒ，１１Ｇ，１１Ｂに射出させる。ここでいう同期とは、画素１１０に書き込まれる画像信号の色成分と、画素１１０に照射される光の色とが同じであることをいう。このため、１フレームにおいて、Ｒ、Ｇ及びＢの順番（色順）でフィールドを配列した場合には、コントローラー２０は、同じくＲ、Ｇ及びＢの順番（色順）で、光源１１Ｒ，１１Ｇ，１１Ｂに光を射出させる。また、前述したようにフレーム周波数は６０Ｈｚであるから、コントローラー２０は、光源１１Ｒ，１１Ｇ，１１Ｂのそれぞれに、周波数ｆ０＝１２０Ｈｚ（＝６０Ｈｚ×２）の周期で光を射出させることとなる。
【００３３】
続いて、射出パターンＢに従って光源制御を行う場合のプロジェクター１の動作を説明する。
射出パターンＢを選択した場合にも、コントローラー２０は、射出パターンＡを選択した場合と同じ方法で、パネル駆動部３０を制御する。
射出パターンＢに従う光源制御について説明すると、図５に示すように、コントローラー２０は、射出パターンＡの場合と同じく、Ｒ２フィールド、Ｇ２フィールド及びＢ２フィールドの画像信号の書き込みに同期して、Ｒ、Ｇ及びＢの各色の光を、光源１１Ｒ，１１Ｇ，１１Ｂにそれぞれ射出させる。ただし、射出パターンＢを選択した場合には、コントローラー２０は、射出パターンＡを選択した場合の２倍速、すなわち、周波数２ｆ０（＝２４０Ｈｚ）の周期で、光源１１Ｒ，１１Ｇ，１１Ｂのそれぞれに光を射出させる。また、射出パターンＢを選択した場合には、コントローラー２０は、１フィールドの全体で光源１１Ｒ，１１Ｇ，１１Ｂに光を射出させるのではなく、１フィールドの前半期間では消灯させ、後半期間のみで光を射出させる。
【００３４】
よって、射出パターンＢに従う光源制御では、コントローラー２０は、図５に示すように、Ｒ２フィールドの後半期間に光源１１ＲにＲ色のレーザー光を射出させ、Ｇ２フィールドの後半期間に光源１１ＧにＧ色のレーザー光を射出させ、Ｂ２フィールドの後半期間に光源１１ＢにＢ色のレーザー光を射出させる。更に、コントローラー２０は、Ｒ１フィールドの後半期間に光源１１ＧにＧ色のレーザー光を射出させ、Ｇ１フィールドの後半期間に光源１１ＢにＢ色のレーザー光を射出させ、Ｂ１フィールドの後半期間に光源１１ＲにＲ色のレーザー光を射出させる。すなわち、コントローラー２０は、Ｒ１フィールド、Ｇ１フィールド及びＢ１フィールドでは、画素１１０への画像信号の書き込みに同期しない光を、光源１１Ｒ，１１Ｇ，１１Ｂに射出させることとなる。このような射出パターンで、光源１１Ｒ，１１Ｇ，１１Ｂに光を射出させるために、コントローラー２０は、射出パターンＡの場合とは色順を異ならせて、光源１１Ｒ，１１Ｇ，１１Ｂに光を射出させる。
【００３５】
図６は、射出パターンＢに従う光源制御を行った場合のフィールド画像の表示の時間的変化を示すタイミングチャートである。
図６（ａ）に示すように、Ｒ１フィールド及びＲ２フィールドの２フィールドでみたとき、その一部の期間において、Ｇ色のレーザー光が画素１１０に照射されるため、Ｒ色とＧ色との混色によって、Ｒフィールド画像が表示される。よって、このＲフィールド画像は、Ｒ色の光のみを用いた場合よりも、黄（Ｙ）色側に変化した画像となる。また、図６（ｂ）に示すように、Ｇ１フィールド及びＧ２フィールドの２フィールドでみたとき、その一部の期間において、Ｂ色のレーザー光が画素１１０に照射されるため、Ｇ色とＢ色との混色によって、Ｇフィールド画像が表示される。よって、このＧフィールド画像は、Ｇ色の光のみを用いた場合よりも、シアン（Ｃ）色側に変化した画像となる。また、図６（ｃ）に示すように、Ｂ１フィールド及びＢ２フィールドの２フィールドでみたとき、その一部の期間において、Ｒ色のレーザー光が画素１１０に照射されるため、Ｂ色とＲ色との混色によって、Ｂフィールド画像が表示される。よって、このＢフィールド画像は、Ｂ色の光のみを用いた場合よりも、マゼンタ（Ｍ）色側に変化した画像となる。
【００３６】
ただし、Ｒ１フィールド、Ｇ１フィールド及びＢ１フィールドでは、液晶素子１２０が過渡状態である期間が存在するため、液晶素子１２０が飽和状態となるＲ２フィールド、Ｇ２フィールド及びＢ２フィールドの期間よりも、液晶素子１２０が透過する光の光量が少ない。よって、射出パターンＢに従う光源制御を行った場合であっても、Ｒ，Ｇ及びＢ色のフィールド画像の各々は、Ｒ，Ｇ及びＢに近い色で表示されると考えられる。
【００３７】
コントローラー２０が射出パターンＢに従う光源制御を行った場合には、３原色であるＲ，Ｇ及びＢ色から、やや色が変化したフィールド画像が表示されるため、射出パターンＡを選択した場合よりも、カラーブレークアップが目立ちにくくなる。また、射出パターンＢが選択されるのは、白黒画像を主とした白黒パターンが形成される場合であるので、フィールド画像の色が３原色から変化していたとしても、この色の変化は、画質の低下として観察者に知覚されにくい。
続いて、コントローラー２０が、１フレームで形成する画像がカラーパターンか白黒パターンかのどちらであるかを判定して、射出パターンを選択するときに実行する処理の流れを説明する。
【００３８】
図７は、射出パターンを選択する処理の流れを示すフローチャートである。
まず、コントローラー２０は、入力画像データＲ−ＤＡＴＡ，Ｇ−ＤＡＴＡ及びＢ−ＤＡＴＡを解析して、画素毎の階調差ΔＶのヒストグラムを求める（ステップＳ１）。ここにおいて、コントローラー２０は、入力画像データＲ−ＤＡＴＡ，Ｇ−ＤＡＴＡ及びＢ−ＤＡＴＡで指定されたＲ，Ｇ及びＢ色の階調値同士の差分に基づいて、階調差ΔＶを算出し、階調差ΔＶの分布を示すヒストグラムを求める。
【００３９】
階調差ΔＶは、カラー画像を表示する画素において比較的大きな値となり、反対に、白黒を表示する画素において比較的小さな値となる。例えば、Ｒ色を表示する画素では、Ｒ成分の階調値が「２５５」で、Ｇ成分及びＢ成分の階調値が「０」であるから、階調差ΔＶは最大の「２５５」である。Ｇ色やＢ色を表示する画素においても、階調差ΔＶは「２５５」である。また、Ｙ色を表示する画素では、Ｒ成分及びＧ成分の階調値が「２５５」で、Ｂ成分の階調値が「０」であるから、階調差ΔＶは「２５５」である。他方、白色を表示する画素では、Ｒ成分、Ｇ成分及びＢ成分の階調値がすべて「２５５」であるため、階調差ΔＶは最小の「０」である。また、黒色を表示する画素では、Ｒ成分、Ｇ成分及びＢ成分の階調値がすべて「０」であるため、階調差ΔＶは最小の「０」である。
【００４０】
図８は、ステップＳ１の処理で求められるヒストグラムの一例を示す図である。図
カラーパターンが形成される場合、ΔＶが相対的に大きい画素の数が多くなり、例えば、図８（ａ）に示すヒストグラムが得られる。すなわち、ΔＶが相対的に大きい画素の出現頻度が突出して高くなる。他方、白黒パターンが形成される場合、ΔＶが相対的に小さい画素が多くなり、例えば図８（ｂ）に示すヒストグラムが得られる。すなわち、ΔＶが相対的に小さい画素の出現頻度が突出して高くなる。
このため、コントローラー２０は、ヒストグラムに基づいてΔＶの出現分布を参照することにより、電気光学パネル１００に形成する画像に、カラー画像及び白黒画像がどの程度含まれるかを簡易的に判定することができる。
【００４１】
コントローラー２０は、１フレームの入力画像データＲ−ＤＡＴＡ，Ｇ−ＤＡＴＡ及びＢ−ＤＡＴＡのヒストグラムの解析が終了したかどうかを判定し（ステップＳ２）、「ＹＥＳ」と判定すると、ステップＳ３の処理に進む。そして、コントローラー２０は、出現頻度が最大の階調差ΔＶが設定値よりも大きいかどうかを判断する（ステップＳ３）。設定値は、カラー画像が主か、白黒画像が主かの判定の指標となる値であり、例えば実験的に求められた階調値に予め設定されている。そして、コントローラー２０は、出現頻度が最大の階調差ΔＶが設定値よりも大きいと判断した場合（ステップＳ３；ＹＥＳ）、カラーパターンと判定し、光源制御として射出パターンＡを選択する（ステップＳ４）。他方、コントローラー２０は、出現頻度が最大の階調差ΔＶが設定値以下と判断した場合（ステップＳ３；ＮＯ）、白黒パターンと判定し、光源制御として射出パターンＢを選択する（ステップＳ５）。ここで説明した階調差ΔＶのヒストグラムと、画像のパターンとの関係はあくまで一例であり、コントローラー２０は、階調差ΔＶのヒストグラムに基づく他のアルゴリズムにより、画像のパターンを判定してもよい。
コントローラー２０は、図７で説明した処理を実行して射出パターンＡ又はＢのどちらかを選択すると、選択した射出パターンに従って、図５で説明した制御を行う。
なお、コントローラー２０は、全てのフレームの画像についてカラーパターンか白黒パターンかを判定してもよいし、複数フレームにつき１度だけこの判定をしてもよい。
【００４２】
＜第１実施形態の変形例＞
上述した第１実施形態では、コントローラー２０は、階調差ΔＶに応じて射出パターンＡ又はＢを選択していたが、更に、白黒画像が形成される領域に応じて、光源１１Ｒ，１１Ｇ，１１Ｂの各々の射出時間を変化させてもよい。具体的には、コントローラー２０は、白黒画像が形成される領域が大きいほど、Ｒ２フィールド、Ｇ２フィールド及びＢ２フィールドにおける各色の光の射出時間に対する、Ｒ１フィールド、Ｇ１フィールド及びＢ１フィールドの当該射出時間の割合を相対的に高くする。
【００４３】
図９及び図１０は、この変形例のプロジェクター１の動作を示すタイミングチャートである。図９及び図１０には、図５に対応するプロジェクター１の動作を示すタイミングチャートが示されているが、ここでは、１フレームの前半期間のみを示している。
例えば、階調差ΔＶの最大頻度が、設定値よりも更に大きい第１閾値以上である場合、コントローラー２０は、白黒画像が形成される領域が相対的に小さいと判定して、図９（ａ）に示すように、Ｒ１フィールド、Ｇ１フィールド及びＢ１フィールドの光の射出時間を短くする。反対に、階調差ΔＶの最大頻度が、設定値よりも更に小さい第２閾値未満である場合、コントローラー２０は、白黒画像が形成される領域が相対的に大きいと判定して、図９（ｂ）に示すように、Ｒ１フィールド、Ｇ１フィールド及びＢ１フィールドの光の射出時間を長くする。
なお、ここでは、コントローラー２０は、Ｒ２フィールド、Ｇ２フィールド及びＢ２フィールドの光の射出時間については、固定させている。
【００４４】
また、コントローラー２０は、Ｒ１フィールド、Ｇ１フィールド及びＢ１フィールドの光の射出時間を固定させ、Ｒ２フィールド、Ｇ２フィールド及びＢ２フィールドの光の射出時間を変化させてもよい。コントローラー２０は、白黒画像が形成される領域が相対的に小さい場合には、図１０（ａ）に示すように、Ｒ２フィールド、Ｇ２フィールド及びＢ２フィールドの光の射出時間をやや短くする。コントローラー２０は、白黒画像が形成される領域が更に小さい場合には、図１０（ｂ）に示すように、Ｒ２フィールド、Ｇ２フィールド及びＢ２フィールドでの光の射出時間を更に短くする。Ｒ２フィールド、Ｇ２フィールド及びＢ２フィールドの光の射出時間を長くすることができる場合には、コントローラー２０は、当該射出時間を長くしてもよい。
また、コントローラー２０は、Ｒ１フィールド、Ｇ１フィールド及びＢ１フィールド、並びに、Ｒ２フィールド、Ｇ２フィールド及びＢ２フィールドの各々の光の射出時間を、変化させてもよい。
この変形例によれば、プロジェクター１は、白黒画像の領域に応じたカラーブレークアップの目立ちやすさを加味した射出時間で、光源１１Ｒ，１１Ｇ，１１Ｂに各色の光を射出させて、画質の低下を観察者に知覚させにくくしつつ、カラーブレークアップを目立たなくすることができる。
【００４５】
［第２実施形態］
次に、本発明の第２実施形態を説明する。この実施形態では、パネル駆動部３０が書き込む画像信号の色数が、光源１１Ｒ，１１Ｇ，１１Ｂの数（つまり、光の数）よりも多い。具体的には、光源が、光源１１Ｒ，１１Ｇ，１１Ｂの３つであるのに対し、パネル駆動部３０は、Ｒ，Ｙ，Ｇ，Ｂ色の４色のフィールド画像を表示するための制御を行う。
【００４６】
図１１は、プロジェクター１の動作を示すタイミングチャートである。図１１は、図５に対応するタイミングチャートであり、各欄の説明は図５で説明したものと同じである。
カラーパターンを形成する場合、コントローラー２０は、射出パターンＣを選択する。射出パターンＣを選択した場合、コントローラー２０は、Ｒ，Ｇ及びＢ色に対応する各フィールドについては、射出パターンＡを選択した場合と同じ制御を行い、Ｙ色に対応するフィールドについては以下に説明する制御を行う。
コントローラー２０は、Ｒ２フィールドに続くＹ１フィールドを開始させると、Ｙ色に対応するＹフィールド画像を表示するために、Ｙ１フィールドにおいて画像信号ｄｙ１を電気光学パネル１００に書き込む。そして、コントローラー２０は、Ｙ１フィールドに続くＹ２フィールドにおいては、画像信号ｄｙ２を電気光学パネル１００に書き込む。また、コントローラー２０は、Ｙ１フィールドでは光源１１Ｒ，１１Ｇ，１１Ｂを消灯させ、Ｙ２フィールドの全体にわたって、光源１１ＲにＲ色の光を射出させるとともに、光源１１ＧにＧ色の光を射出させ、光源１１Ｂを消灯させる。
すなわち、射出パターンＣに従う光源制御では、コントローラー２０は、Ｒ，Ｙ，Ｇ，Ｂの各色の画像信号の書き込みに同期して、光源１１Ｒ，１１Ｇ，１１Ｂに光を射出させる。
【００４７】
白黒パターンを形成する場合、コントローラー２０は、射出パターンＤを選択する。パネル駆動部３０の制御については、コントローラー２０は、射出パターンＤを選択した場合にも、射出パターンＣを選択した場合と同じ方法で行う。射出パターンＤに従う光源制御について説明すると、コントローラー２０は、射出パターンＣを選択した場合の２倍速で、光源１１Ｒ，１１Ｇ，１１Ｂに光を射出させる。また、射出パターンＤを選択した場合には、コントローラー２０は、１フィールドの前半期間では光源１１Ｒ，１１Ｇ，１１Ｂを消灯させ、後半期間のみで光源１１Ｒ，１１Ｇ，１１Ｂのいずれかに光を射出させる。
【００４８】
これにより、コントローラー２０は、Ｒ１フィールド、Ｙ１フィールド、Ｇ１フィールド及びＢ１フィールドの各々において、画像信号の書き込みに同期しない光を射出させることとなる。更には、コントローラー２０は、Ｒ２フィールド、Ｙ２フィールド、Ｇ２フィールド及びＢ２フィールドの各々においても、画像信号の書き込みに同期しない光を射出させることとなる。これにより、同一色に対応する連続２フィールドでみたとき、３原色であるＲ，Ｇ及びＢ色の光のみが画素１１０に照射されるのではなく、２色の光が画素１１０に照射される。これにより、時分割による混色の作用によって、カラーブレークアップは目立ちにくくなる。
【００４９】
この第２実施形態の場合、コントローラー２０は、Ｒ２フィールド、Ｙ２フィールド、Ｇ２フィールド及びＢ２フィールドにおいても、画像信号の書き込みに同期しない光を射出させることになる。しかし、射出パターンＤが選択されるのは、白黒パターンが形成される期間に限られる。よって、コントローラー２０が、Ｒ２フィールド、Ｙ２フィールド、Ｇ２フィールド及びＢ２フィールドの画像信号の書き込みに同期するか否かに関わらず、射出パターンＣの場合の２倍速で光源１１Ｒ，１１Ｇ，１１Ｂに光を射出させた場合であっても、フィールド画像の色の変化が画質の低下として観察者に知覚されにくい。
パネル駆動部３０は、Ｒ，Ｙ，Ｍ，Ｋの４色に対応した画像信号を書き込むことにより、カラーブレックアップがより目立たなくなる。その理由は、３原色の場合と同じ幅で４色が表示されることになるので１色当たりの幅が短くなり、また、人間の目に知覚されにくいＹ色が含まれるからである。
なお、この第２実施形態では、Ｒ，Ｇ及びＢの３色のほかに、Ｙ色に対応した画像信号を書き込む例を説明したが、コントローラー２０は、Ｃ色やＭ色等のＲ，Ｇ及びＢ色の光の混色で表現可能な他の色のフィールド画像を生成し表示させてもよい。
【００５０】
図１２は、コントローラー２０が、階調差ΔＶに基づいて射出パターンを選択するときの処理の流れを示すフローチャートである。
まず、コントローラー２０は、入力画像データＲ−ＤＡＴＡ，Ｇ−ＤＡＴＡ及びＢ−ＤＡＴＡを解析して、画素毎の階調差ΔＶのヒストグラムを求める（ステップＳ１）。１フレーム分のヒストグラム解析が終了すると（ステップＳ２；ＹＥＳ）、コントローラー２０は、階調差ΔＶが「０」の画素（つまり、白色又は黒色を表示する画素）の最大頻度数が設定値未満かどうかを判断する（ステップＳ６）。設定値は、カラー画像が主か、白黒画像が主かの判定の指標となる値であり、例えば実験的に求められた階調値に予め設定されている。白黒画像の領域が大きいほど、階調差ΔＶが「０」の画素の出現頻度が高くなる。コントローラー２０は、階調差ΔＶが「０」の出現頻度が設定値未満と判断すると（ステップＳ６；ＹＥＳ）、カラーパターンと判定して、射出パターンＣを選択する（ステップＳ７）。他方、コントローラー２０は、階調差ΔＶが「０」の出現頻度が設定値以上と判断すると（ステップＳ６；ＮＯ）、白黒パターンと判定して、射出パターンＤを選択する（ステップＳ８）。
【００５１】
［変形例］
本発明は、上述した実施形態と異なる形態で実施することが可能である。また、以下に示す変形例は、各々を適宜に組み合わせてもよい。
上述した各実施形態では、コントローラー２０は、入力画像データＲ−ＤＡＴＡ，Ｇ−ＤＡＴＡ及びＢ−ＤＡＴＡを解析してヒストグラムを求め、当該ヒストグラムに基づいて、カラーパターンを形成するのか、又は、白黒パターンを形成するのかを判定していた。画像パターンの判定は別の判定方法で行われてもよく、コントローラー２０は、階調差ΔＶの最大頻度の値や平均値、中央値等の分布に基づいて、パターンを判定してもよい。また、コントローラー２０は、電気光学パネル１００上に形成する画像を複数のブロックに分割し、ブロック毎に階調差ΔＶを算出して、パターンを判定してもよい。また、コントローラー２０は、１フレームの入力画像データの全画素ではなく、一部の画素（例えば画面中央部の領域）に基づいて、パターンを判定してもよい。
カラーパターン又は白黒パターンの判定アルゴリズムについては、種々の変形が可能である。
【００５２】
上述した各実施形態では、コントローラー２０は、Ｒ、Ｇ及びＢの各色について、同一色のフィールドを２フィールド続けて配列していたが、同一色のフィールドを３フィールド以上続けて配列してもよい。この場合、コントローラー２０は、同一色に対応した複数フィールドのうち、第２番目以降のフィールドで画像信号の書き込みに同期するように、Ｒ、Ｇ及びＢの各色の光を射出させる。
更に、射出パターンＢに従う光源制御を行う場合には、コントローラー２０は、同一色に対応した複数フィールドのうち、第２番目以降のフィールドで画像信号の書き込みに同期するように、カラーパターンの形成時の２倍速以上で、Ｒ、Ｇ及びＢの各色の光を射出させるとよい。
すなわち、白黒パターンの形成時に、コントローラー２０が、同一色に対応する連続する２以上のフィールドの期間内に、２色以上の光を時分割で射出させることにより、カラーブレークアップは目立ちにくくなる。
【００５３】
上述した各実施形態では、Ｒ、Ｇ及びＢの各色で、光源が独立していた。例えば、発光体（例えば白色光源）とＲ、Ｇ及びＢの各色に対応したフィルター円板との組み合わせでプロジェクター１の光源を構成して、上述した各実施形態の光源制御を行ってもよい。すなわち、本発明は、光源が色毎に物理的に独立していることを必須とするものではない。
また、光源が射出する光の色や色数、及び、フィールド画像の色成分や色数はあくまで一例であり、他の色や色数に変形されてもよい。また、本発明の光源は、ＬＥＤに限られず、半導体レーザー等の固体光源であってもよい。
【００５４】
液晶１０５は、ＶＡ液晶に限定されない。ＴＮ（Twisted Nematic）液晶等、ＶＡ液晶以外の液晶が用いられてもよい。また、液晶１０５は、ノーマリーホワイトモードの液晶であってもよい。
また、画素１１０を構成する液晶素子１２０は、透過型に限られず反射型であってもよい。
本発明は、電圧変調方式に従って液晶素子に電圧を印加する装置に限られず、サブフィールド駆動方式で液晶素子に電圧を印加する装置に適用することもできる。
プロジェクター１は、反射型の液晶パネル、又は、有機ＥＬ（Electro-Luminescence）パネル等の液晶以外の電気光学素子、若しくはデジタルミラーデバイス等を用いたものであってもよい。また、光源は、ＬＥＤに限られず、半導体レーザー等の固体光源であってもよい。
【００５５】
本発明の電子機器は、プロジェクターに限定されない。本発明の電子機器は、テレビジョンや、ビューファインダー型・モニター直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。
【符号の説明】
【００５６】
１…プロジェクター、１１Ｒ，１１Ｇ，１１Ｂ…光源、１００…電気光学パネル、１３０…走査線駆動回路、１４０…データ線駆動回路、２０…コントローラー、２１…画像データ処理部、２２…タイミング制御部、２３…解析部、２４…発光制御部、３０…パネル駆動部、４０Ｒ…Ｒ色ＬＥＤドライバ、４０Ｇ…Ｇ色ＬＥＤドライバ、４０Ｂ…Ｂ色ＬＥＤドライバ
【図１】
2015036805.tif 000003
【図２】
2015036805.tif 000004
【図３】
2015036805.tif 000005
【図４】
2015036805.tif 000006
【図５】
2015036805.tif 000007
【図６】
2015036805.tif 000008
【図７】
2015036805.tif 000009
【図８】
2015036805.tif 000010
【図９】
2015036805.tif 000011
【図１０】
2015036805.tif 000012
【図１１】
2015036805.tif 000013
【図１２】
2015036805.tif 000014
【図１３】
2015036805.tif 000015